(57)【要約】      （修正有）【課題】マスタークロック入力インピーダンス７５オームまたは５０オームのいずれのデジタルオーディオ機器に対しても信号インピーダンスを整合して接続することができるマスタークロックジェネレーターを提供する。【解決手段】デジタルオーディオ機器に用いられるマスタークロックジェネレーターであって、出力が５０オームに設計される内部発振器１と、２５オームのマッチング抵抗２と、マッチング抵抗２を短絡する切り換えスイッチ４とを備え、切り換えスイッチ４をＯＮ（短絡）することによってマッチング抵抗２が短絡されて出力インピーダンスが５０オームになり、切り換えスイッチ４をＯＦＦ（開放）することによってマッチング抵抗２が短絡されず出力インピーダンスが７５オームになるように構成する。【選択図】図１
0003219653.tif 000002
【実用新案登録請求の範囲】
【請求項１】
デジタルオーディオ機器に用いられるマスタークロックジェネレーターであって、マスタークロック入力インピーダンス７５オームまたは５０オームのいずれのデジタルオーディオ機器に対しても信号インピーダンスを整合して接続するために、出力インピーダンスを５０オームまたは７５オームに切り換える機能を具備することを特徴とするマスタークロックジェネレーター。
【考案の詳細な説明】
【技術分野】
【０００１】  本考案はデジタルオーディオ機器に用いられるマスタークロックジェネレーターに関するものである。
【背景技術】
【０００２】  これまでのマスタークロックジェネレーターは、出力インピーダンスが５０オームまたは７５オームのどちらか一方の固定インピーダンスでしかなく、マスタークロックジェネレーターに接続されるデジタルオーディオ機器のマスタークロック入力インピーダンスも７５オームまたは５０オームのどらちか一方でしかない場合がある。これらの異なるインピーダンス同士の接続で接続インピーダンスが不整合となり、反射波が生じ信号の伝送特性が良好ではなかった。
【考案の概要】
【考案が解決しようとする課題】
【０００３】  従来のデジタルオーディオ用のマスタークロックジェネレーターは、４４．１ＫＨｚまたは４８ＫＨｚの整数倍で１９６ＫＨｚ以下の信号を出力するワードクロックと呼ばれるクロックであり、ワードクロック信号の入出力インピーダンスは統一されて７５オームであった。その後、デジタルオーディオ機器の技術的進歩によって５ＭＨｚ、１０ＭＨｚ、１１．２８９６ＭＨｚ、１２．２８０ＭＨｚ、２２．５７９２ＭＨｚ、２４．５７６ＭＨｚ等のＭＨｚ帯のクロック信号による同期が可能なデジタルオーディオ機器が出現してきた。これらのワードクロックとＭＨｚ帯のクロックとを総称してマスタークロックと呼び、デジタルオーディオ用同期クロック信号として扱われている。そのマスタークロック信号を出力する機器をマスタークロックジェネレーターと総称する。７５オームの信号インピーダンスに統一されていたワードクロックに対し、ＭＨｚ帯のマスタークロックは、信号の入力インピーダンスまたは出力インピーダンスが製造メーカーによって５０オームまたは７５オームであり、どちらか一方に統一されていなかった。信号インピーダンスが統一されていない市場の機器に対して、使用者は所有するマスタークロックの入出力機器の組み合わせによっては、出力インピーダンス７５オームと入力インピーダンス５０オーム、または出力インピーダンス５０オームと入力インピーダンス７５オームという入出力間インピーダンスの不整合の状態で使う事を余儀なくされる事があった。マスタークロックの入出力間インピーダンスの不整合は信号入力側で反射波を発生させ信号の伝送が良好にできない事から、接続するマスタークロックの入出力間のインピーダンスを整合させる事が望まれていた。
【課題を解決するための手段】
【０００４】  前述の課題を解決するために、接続するデジタルオーディオ機器のマスタークロック入力側のインピーダンスに合わせてマスタークロックジェネレーターの出力インピーダンスを７５オームまたは５０オームに切り換えができる機能を具備することを特徴としたマスタークロックジェネレーターが提供される。
【考案の効果】
【０００５】  請求項１記載の考案によれば、マスタークロック信号の入力インピーダンスが７５オームまたは５０オームのいずれかであるデジタルオーディオ機器対して、出力インピーダンスが７５オームまたは５０オームに切り換えができるマスタークロックジェネレーターにより、マスタークロック信号の入出力間インピーダンスを整合させる事ができ、マスタークロックを反射波の少ない良好な特性で伝送する事ができる。
【図面の簡単な説明】
【０００６】
【図１】本考案の一実施形態によるマスタークロックジェネレーターの出力回路の構成を示す回路図である。
【図２】本考案の一実施形態によるマスタークロックジェネレーターと、７５オームマスタークロック信号入力インピーダンスのデジタルオーディオ機器との接続状態を示す図である。
【図３】本考案の一実施形態によるマスタークロックジェネレーターと、５０オームマスタークロック信号入力インピーダンスのデジタルオーディオ機器との接続状態を示す図である。
【考案を実施するための形態】
【０００７】  以下、本考案の一実施例を図面に基づいて説明する。図１は本実施形態によるマスタークロックジェネレーターの出力回路の構成を示す回路図である。
【０００８】  マスタークロックジェネレーターの内部発振器の出力（１）は、５０オームに設計されており、更に直列に２５オームのマッチング抵抗（２）が備えられる。マッチング抵抗（２）は出力する周波数に於いて２５オームの特性を有する抵抗が使用される。
【０００９】  マスタークロックジェネレーターには、クロック信号を出力するＢＮＣコネクター（３）とインピーダンスを切り換えるスイッチ（４）が取り付けられる。使用者は、出力するインピーダンス５０オームまたは７５オームに合わせて切り換えスイッチ（４）を設定する。
【００１０】  使用者が切り換えスイッチ（４）をＯＮ（短絡）する事によってマッチング抵抗（２）が短絡されてＢＮＣコネクター（３）から見た出力インピーダンスは５０オームになる。
【００１１】  使用者が切り換えスイッチ（４）をＯＦＦ（開放）する事によってマッチング抵抗（２）は短絡されずＢＮＣコネクター（３）から見た出力インピーダンスは５０オームと２５オームの合成抵抗値の７５オームとなる。
【００１２】  ＢＮＣコネクター（３）には、５０オームおよび７５オームの両方のインピーダンスに対応する仕様のコネクターを使用する。
【００１３】  切り換えスイッチ（４）の種類は、手動で接点が短絡または開放されるものでも良く、また、リレーによって制御回路から短絡または開放される接点でも良い。
【００１４】  図２は本実施形態によるマスタークロックジェネレーター（５）と７５オームインピーダンスのマスタークロック信号が入力可能なデジタルオーディオ機器（６）との接続状態の説明である。
【００１５】  ７５オーム入力インピーダンスを備えたデジタルオーディオ機器（６）に対しては、マスタークロックジェネレーター（５）の出力インピーダンス切り換えスイッチを開放し７５オームに設定し、７５オームインピーダンスのＢＮＣ同軸ケーブル（７）でマスタークロックジェネレーター出力ＢＮＣ端子（８）とデジタルオーディオ機器マスタークロックジェネレーター入力端子（９）を接続する。
【００１６】  図３は本実施形態によるマスタークロックジェネレーター（１０）と５０オームインピーダンスのマスタークロック信号が入力可能なデジタルオーディオ機器（１１）との接続状態の説明である。
【００１７】  ５０オーム入力インピーダンスを備えたデジタルオーディオ機器（１１）に対しては、マスタークロックジェネレーター（１０）の出力インピーダンス切り換えスイッチを短絡し５０オームに設定し、５０オームインピーダンスのＢＮＣ同軸ケーブル（１２）でマスタークロックジェネレーター出力ＢＮＣ端子（１３）とデジタルオーディオ機器マスタークロックジェネレーター入力端子（１４）を接続する。
【符号の説明】
【００１８】  １・・・マスタークロックジェネレーター内部発振器出力
２・・・マッチング抵抗
３・・・出力ＢＮＣコネクター
４・・・インピーダンス切り換えスイッチ
５・・・マスタークロックジェネレーター
６・・・７５オームインピーダンス入力可能デジタルオーディオ機器
７・・・７５オームインピーダンス同軸ＢＮＣケーブル
８・・・マスタークロックジェネレーター出力ＢＮＣ端子
９・・・マスタークロックジェネレーター入力ＢＮＣ端子
１０・・・マスタークロックジェネレーター
１１・・・７５オームインピーダンス入力可能デジタルオーディオ機器
１２・・・７５オームインピーダンス同軸ＢＮＣケーブル
１３・・・マスタークロックジェネレーター出力ＢＮＣ端子
１４・・・マスタークロックジェネレーター入力ＢＮＣ端子
【図１】
0003219653.tif 000003
【図２】
0003219653.tif 000004
【図３】
0003219653.tif 000005
【手続補正書】
【提出日】平成30年10月22日(2018.10.22)
【手続補正１】
【補正対象書類名】実用新案登録請求の範囲
【補正対象項目名】全文
【補正方法】変更
【補正の内容】
【実用新案登録請求の範囲】
【請求項１】
デジタルオーディオ機器に用いられるマスタークロックジェネレーターであって、出力が５０オームに設計される内部発振器と、２５オームのマッチング抵抗と、マッチング抵抗を短絡する切り換えスイッチとを備え、前記切り換えスイッチをＯＮ（短絡）することによって前記マッチング抵抗が短絡されて出力インピーダンスが５０オームになり、前記切り換えスイッチをＯＦＦ（開放）することによって前記マッチング抵抗が短絡されず出力インピーダンスが７５オームになるように構成することにより、マスタークロック入力インピーダンス７５オームまたは５０オームのいずれのデジタルオーディオ機器に対しても信号インピーダンスを整合して接続することができるようにしたことを特徴とするマスタークロックジェネレーター。